(57)【特許請求の範囲】
【請求項１】
長手方向に延びる中心軸と、
前記長手方向における一端に設けられ釣り竿の先端部が挿入される第１挿入口と、
前記長手方向において前記一端の反対側に位置する他端に設けられ、ガイドリングを支持するフレームの挿入脚が挿入され、前記中心軸から上方に離隔している中心を有する四角形の第２挿入口と、
前記他端に設けられ前記第２挿入口に接し前記中心軸に対して鋭角に傾いた斜面と、
を含む、トップガイド用取付管。
【請求項２】
前記取付管を側面から見るとき、前記第２挿入口の中心が前記中心軸から離隔している方向における縁は直線である、
請求項１に記載のトップガイド用取付管。
【請求項３】
前記斜面の鋭角は２５゜以上４５゜以下である、
請求項１に記載のトップガイド用取付管。
【請求項４】
前記斜面の前記第２挿入口に接する縁の反対側の縁の頂点と前記一端との間の長さは前記一端と前記他端との間の長さの６０％以上９５％以下である、
請求項１に記載のトップガイド用取付管。
【請求項５】
前記第２挿入口は長方形である、
請求項１に記載のトップガイド用取付管。
【請求項６】
前記取付管を正面から見るとき、前記第２挿入口の両短辺の間の距離は前記取付管の内径より大きいか小さい、
請求項５に記載のトップガイド用取付管。
【請求項７】
釣り糸が通過するガイドリングを保持するリング保持部と前記リング保持部から延びる挿入脚とを備えるフレームと、
請求項１から請求項６のうちのいずれか１項に記載のトップガイド用取付管と、
を含む、
釣り竿用トップガイド。
【請求項８】
前記釣り竿用トップガイドを側面から見るとき、前記フレームの挿入脚は前記取付管の斜面の前記鋭角と同一の角度に前記リング保持部から延びる、
請求項７に記載の釣り竿用トップガイド。
【請求項９】
前記フレームは、前記リング保持部から延び前記取付管の外面に接触する少なくとも１つの支脚をさらに備える、
請求項７に記載の釣り竿用トップガイド。
【請求項１０】
前記支脚は前記第２挿入口の中心が前記取付管の中心軸から上方に離隔している方向において前記取付管の外面に接触する、
請求項９に記載の釣り竿用トップガイド。
【請求項１１】
請求項１〜請求項６のうちのいずれか１項に記載のトップガイド用取付管を備える釣り竿。
【請求項１２】
請求項７に記載の釣り竿用トップガイドを備える釣り竿。
【発明の詳細な説明】
【技術分野】
【０００１】
本発明は釣り竿の先端に取り付けられるトップガイド用取付管及びトップガイドに関するものである。また、本発明はトップガイド用取付管またはトップガイドを備える釣り竿に関するものである。
【背景技術】
【０００２】
リールから放出される釣り糸またはリールに巻き戻される釣り糸を釣り竿に沿って案内するために釣り糸ガイドが釣り竿に取り付けられる。釣り糸ガイドは釣り糸が通過するガイドリングと、釣り竿に取り付けられてガイドリングを支持するフレームを有する。釣り糸ガイドのフレームは一般に金属材料から製造される。【０００３】
複数の釣り糸ガイドが釣り竿の長手方向に沿って釣り竿に取り付けられる。このような釣り糸ガイドのうちの釣り竿の先端に位置する釣り糸ガイドは「トップガイド」として参照される。一般的に釣竿の竿体は炭素繊維やガラス繊維を用いて製造されている。このような釣竿の竿体の先端における端部を保護するために、トップガイドは釣り竿の先端部が挿入される方式で釣竿の先端部に取り付けられる。特開平９−１３１１４８号公報（特許文献１）は前述したところのトップガイドの一例を開示する。
【先行技術文献】
【特許文献】
【０００４】
【特許文献１】特開平９−１３１１４８号公報
【発明の概要】
【発明が解決しようとする課題】
【０００５】
仕掛けの飛距離、仕掛けのキャストの精度、釣り感度などの向上のためには、ガイドリングの中心の高さ、ガイドリングの内径、ガイドリングの傾斜角度などが考慮されなければならない。【０００６】
トップガイドは釣り竿の先端部が挿入される取付管と、取付管と結合してガイドリングを支持するフレームを有する。トップガイドの取付管の先端には挿入口が設けられており、フレームには取付管の上記挿入口に挿入される挿入脚が設けられている。また、強度が求められるフレームには挿入脚と、取付管と接触する支脚が設けられている。このように、トップガイドは別個になるフレームと取付管を有する。トップガイドの使用例によれば、多様な直径の釣り竿に適用されるように多様な内径を有する様々な取付管が用いられるが、このような様々な取付管に１つのサイズからなるフレームが装着され得る。【０００７】
図２４および図２５は従来技術のトップガイドの使用例を示す。図２４は、上記１つのサイズからなるフレーム４２０Ａが多様な外径の取付管４１０Ａ，４１０Ｂ，４１０Ｃに装着されているのを示し、図２５はさらに他の１つのサイズからなるフレーム４２０Ｂが多様な外径の取付管４１０Ｄ，４１０Ｅ，４１０Ｆに装着されているのを示す。【０００８】
図２４を参照すると、直径が大きい釣り竿のための大きい内径を有する取付管４１０Ｃに上記フレーム４２０Ａを装着すると、取付管４１０Ａに装着する場合と比較して、ガイドリング４３０が釣り竿の後端方向に傾き取付管４１０Ｃの表面からガイドリング４３０の中心までの高さ（図２４において直線Ｌ１と直線Ｌ３との間の距離）も小さくなる。反対に、直径が小さい釣り竿のための小さい内径を有する取付管４１０Ｂに上記フレーム４２０Ａを装着すると、取付管４１０Ａに装着する場合と比較して、ガイドリング４３０が釣り竿の先端方向に傾き取付管４１０Ｂの表面からガイドリング４３０の中心までの高さ（図２４において直線Ｌ１と直線Ｌ３との間の距離）も大きくなる。【０００９】
図２５を参照すると、１つのサイズからなるフレーム４２０Ｂを多様な外径の取付管４１０Ｄ，４１０Ｅ，４１０Ｆに装着するに応じて、ガイドリング４３０が釣竿の先端または後端に傾き取付管４１０Ｄ，４１０Ｅ，４１０Ｆの表面からガイドリング４３０の中心までの高さ（図２５において直線Ｌ１と直線Ｌ３との間の距離）も変わる。特に、図２５に示すフレーム４２０Ｂを有するトップガイドにおいては、支脚４２２の先端の取付管に対する接触位置が各トップガイドにおいて取付管の中心軸から大きくずれてしまう。従って、図２５に示すフレームを有するトップガイドにおいては、長さが共通である取付管を使用することが困難であり、場合によっては必要以上に長い取付管が使用されなければならない。例えば、図２５において、挿入脚４２１Ｂ先端と取付管の一端との間の距離（図２５において符号ＣＬで指示した距離）は一定に維持されるのが好ましい。従って、小さい内径の取付管４１０Ｅでは取付管の長さが短くなり得るが、通常の内径の取付管４１０Ｄと大きい内径の取付管４１０Ｆでは小さい内径の取付管４１０Ｅに比べて取付管の長さが長くならざるを得ない。このように、取付管の長さが長くなることはトップガイドの重量を増加させることになる。また、フレーム４２０Ｂの挿入脚４２１Ｂと支脚４２２が必要以上に長くならざるを得ず、トップガイドの軽量化に非常に不利である。【００１０】
即ち、同一サイズのフレーム４２０Ａを外径が異なる様々な取付管４１０Ａ，４１０Ｂ，４１０Ｃに装着する図２４に示す使用例、または同一サイズのフレーム４２０Ｂを外径が異なる取付管４１０Ｄ，４１０Ｅ，４１０Ｆに装着する図２５に示す使用例において、取付管４１０Ａ〜４１０Ｆの外径が変わることにより、取付管に対するガイドリング４３０の傾斜角度、取付管４１０Ａ〜４１０Ｆの表面からガイドリング４３０の中心までの高さなどが一定に維持されない。また、ガイドリング４３０に意図しない傾きが生じるため、釣り糸の絡みが発生する可能性が高くなり、さらにガイドリング４３０の傾斜により釣り糸の通過する範囲が狭くなるため、釣糸がガイドリング４３０をうまく通過できないようになる可能性も高くなる。このように、１つのサイズのフレーム４２０Ａ，４２０Ｂを外径が異なる様々な取付管に装着するとき、フレーム４２０Ａ，４２０Ｂが同一な位置に維持されない理由は、挿入脚４２１Ａ，４２１Ｂの長さと支脚４２２の長さは定められているが、様々な取付管４１０Ａ〜４１０Ｆの寸法が適用される釣竿に応じて変わるためである。【００１１】
多様な取付管に同一のフレームを用いるときのフレームの位置不安定を解消するためのひとつの方案として、内径が異なる取付管のそれぞれに専用に用いられる多数のフレームを設計することを考慮することができる。しかし、このような方案は釣り糸ガイドのメーカーに取付管ごとに適合する多様なフレームを開発しなければならない負担と釣り糸ガイドの製造原価を増大させる不利を与えるようになる。【００１２】
本発明はこのような従来技術の問題点を解決するために創案されたものであって、本発明は、釣り竿の多様な直径に関係なくフレームの位置を一定に維持することができるトップガイド用取付管及び釣り竿用トップガイドを提供する。【００１３】
また、本発明は前述したトップガイド用取付管またはトップガイドを備える釣り竿を提供する。
【課題を解決するための手段】
【００１４】
本発明の一側面によれば、トップガイド用取付管が提供される。例示的実施の形態によるトップガイド用取付管は、長手方向に延びる中心軸と、上記長手方向における一端に設けられる第１挿入口と、上記長手方向で上記一端の反対側に位置する他端に設けられる四角形の第２挿入口と、上記他端に設けられる斜面とを備える。釣り竿の先端部は、上記第１挿入口に挿入される。ガイドリングを保持するフレームの挿入脚は上記第２挿入口に挿入される。上記第２挿入口の四角形の中心は中心軸から上方に離隔している。上記斜面は、上記第２挿入口に接し上記中心軸に対して鋭角に傾いている。【００１５】
一の形態において、上記取付管を側面から見るとき、上記第２挿入口の中心が上記中心軸から離隔している方向における縁は一直線である。【００１６】
一の形態において、上記斜面の鋭角は２５゜以上４５゜以下である。
一の形態において、上記斜面の上記第２挿入口に接する縁の反対側の縁の頂点と上記一端との間の長さは上記一端と上記他端との間の長さの６０％以上９５％以下である。【００１７】
一の形態において、上記第２挿入口は長方形である。
一の形態において、上記取付管を正面から見るとき、上記第２挿入口の両短辺の間の距離は上記取付管の内径より大きいかまたは小さい。【００１８】
本発明の他の側面は釣り竿用トップガイドを提供する。例示的実施の形態による釣り竿用トップガイドは、釣り糸が通過するガイドリングを保持するリング保持部と上記リング保持部から延びる挿入脚を備えるフレームと、前述したトップガイド用取付管とを備える。【００１９】
一の形態において、上記トップガイドを側面から見るとき、上記フレームの挿入脚は上記取付管の斜面の上記鋭角と同一の角度に上記リング保持部から延びる。【００２０】
一の形態において、上記フレームは上記リング保持部から延び上記取付管の外面に接触する少なくとも１つの支脚をさらに備える。一実施の形態において、上記支脚は上記第２挿入口の中心が上記取付管の中心軸から上方に離隔している方向において上記取付管の外面に接触する。【００２１】
本発明のさらに他の側面は前述したトップガイド用取付管または前述したトップガイドを備える釣り竿を提供する。
【発明の効果】
【００２２】
このトップガイド用取付管によれば、フレームの挿入脚が挿入される第２挿入口の長方形の中心が取付管の中心軸から外面側に離隔している。従って、多様な外径を有する取付管において、第２挿入口の中心と取付管の外面との間の距離が同一になり取付管からガイドリングの中心までの高さが同一になって、同一のフレームが多様な外径を有する様々な取付管に同一の位置で維持されることができる。また、多様な外径を有する取付管に同一のフレームが同一の位置に設けられるので、短い挿入脚と支脚を有するフレームを設計できて、軽量化したトップガイドを実現することができる。また、このトップガイドによれば、取付管は中心軸に対して鋭角に傾いた斜面を備え、フレームの挿入脚は斜面の鋭角と略同一の角度に傾いている。従って、トップガイドを側面からみるとき、斜面と挿入脚はスムーズに連結され、釣り糸の絡みを効果的に防止する。
【図面の簡単な説明】
【００２３】
【図１】一実施の形態におけるトップガイドを備える実施の形態による釣り竿を示す側面図である。
【図２】実施の形態によるトップガイドを示す斜視図である。
【図３】図２に示すトップガイドを他の方向から見た斜視図である。
【図４】図２に示すトップガイドの平面図である。
【図５】図２に示す取付管の縦断面図である。
【図６】図２に示す取付管の正面図である。
【図７Ａ】取付管の他の例を示す縦断面図である。
【図７Ｂ】図７Ａに示す取付管の平面図である。
【図８Ａ】取付管のさらに他の例を示す縦断面図である。
【図８Ｂ】図８Ａに示す取付管の平面図である。
【図９Ａ】取付管のさらに他の例を示す縦断面図である。
【図９Ｂ】図９Ａに示す取付管の平面図である。
【図１０Ａ】取付管のさらに他の例を示す縦断面図である。
【図１０Ｂ】図１０Ａに示す取付管の平面図である。
【図１１Ａ】取付管のさらに他の例を示す縦断面図である。
【図１１Ｂ】図１１Ａに示す取付管の平面図である。
【図１２Ａ】取付管のさらに他の例を示す側面図である。
【図１２Ｂ】図１２Ａに示す取付管の正面図である。
【図１３】図２に示すフレームの側面図である。
【図１４】図２に示すフレームの平面図である。
【図１５】フレームの他の例を示す平面図である。
【図１６】フレームのさらに他の例を示す側面図である。
【図１７】フレームのさらに他の例を示す斜視図である。
【図１８】フレームのさらに他の例を示す側面図である。
【図１９】一実施の形態によるトップガイドの平面図であって、フレームの挿入脚が取付管の第２挿入口に挿入されているのを示す。
【図２０】フレームが多様な外径の取付管に装着されているトップガイドの様々な実施の形態を並べて示している。
【図２１】さらに他の実施の形態によるトップガイドの平面図であって、フレームの挿入脚が取付管の第２挿入口に挿入されているのを示す。
【図２２】フレームが多様な外径の取付管に装着されているトップガイドの様々な実施の形態を並べて示している。
【図２３Ａ】第２挿入口の四角形形状の他の例を示す。
【図２３Ｂ】第２挿入口の四角形形状の他の例を示す。
【図２４】同一のフレームが多様な外径の取付管に装着されている従来技術のトップガイドを並べて示す。
【図２５】さらに他の同一のフレームが多様な外径の取付管に装着されている従来技術のトップガイドを並べて示す。
【発明を実施するための形態】
【００２４】
添付した図面を参照して本発明によるトップガイド用取付管、トップガイド及び釣り竿の実施の形態を説明する。図面において同一の参照番号は同一または対応する要素または部品を指示する。本明細書で用いられた「上方」、「上」などの方向指示語はガイドリングを保持するリング保持部が取付管に対して位置する方向を基準とし、「下方」、「下」などの方向指示語はその反対方向を意味する。
【００２５】
図１を参照して実施の形態による釣り竿を説明する。図１において、矢印Ｔは釣り竿の先端を指し、矢印Ｂは釣り竿の後端を指す。
【００２６】
実施の形態による釣竿１０は細長い円筒形状の竿体１１を有し、竿体１１は先端に向かって細くなるテーパ形状になっている。釣り竿の竿体１１は１つの竿、または複数の部分竿からなる。竿体１１が複数の部分竿からなる場合、部分竿は下挿式（ｐｕｔ  ｉｎ  ｔｙｐｅ）、上挿式（ｐｕｔ  ｏｖｅｒ  ｔｙｐｅ）、振出式（ｔｅｌｅｓｃｏｐｉｃ  ｔｙｐｅ）などで連結される。釣り竿１０はその後端付近にリール（図示せず）を取り付けるためのリールシート１２を有する。また、釣竿１０は竿体１１の先端部に取り付けられて釣竿１０の先端で釣り糸を案内する一実施の形態によるトップガイド２０Ａ１を備える。以下、上記「竿体１１の先端部」は「釣竿の先端部」とし、これは竿体１１が１つの竿からなる場合その先端部、または竿体１１が複数の部分竿からなる場合先端に位置する部分竿の先端部を含む。
【００２７】
図２〜図２２は釣り竿１０に取り付けられるトップガイドの様々な実施の形態を示す。図２〜図２２に示す実施の形態によるトップガイド２０Ａ１〜２０Ｂ３は釣り竿の先端部１３に取り付けられる。実施の形態によるトップガイド２０Ａ１〜２０Ｂ３は釣り竿１０の先端部１３との取付のための取付管１００Ａ１〜１００Ｃと、釣り糸が通過するガイドリング３００を保持し取付管１００Ａ１〜１００Ｂ３と結合するフレーム２００Ａ，２００Ｂとを備える。トップガイド２０Ａ１〜２０Ｂ３の取付管１００Ａ１〜１００Ｃとフレーム２００Ａ，２００Ｂは金属材料からなる。取付管１００Ａ１〜１００Ｃは釣り竿の先端部１３が挿入される管体を備える。トップガイド２０Ａ１〜２０Ｂ３は、取付管１００Ａ１〜１００Ｃの管体に釣り竿１０の先端部１３が挿入され、例えば上記管体と釣り竿１０の先端部１３が接合することによって竿体１１に取り付けられる。
【００２８】
図５〜図１２Ｂは実施の形態によるトップガイドを構成する取付管の様々な例を示す。図２〜図６を参照してトップガイドの取付管の一例を説明する。
【００２９】
取付管１００Ａ１は管体１１０Ａ１を含む。釣り竿１０の先端部１３は管体１１０Ａ１に挿入される。管体１１０Ａ１は釣り竿の先端部１３をその中に収容するように長手方向にボアが形成された円筒状を有する。従って、取付管１００Ａ１は管体１１０Ａ１の円形の横断面における中心を通って管体１１０Ａ１の長手方向に延びる中心軸ＣＡと、上記長手方向における一端１１１と、上記長手方向において一端１１１の反対側に位置する他端１１２を備える。取付管１００Ａ１を釣り竿１０の先端部１３に取り付けると、取付管１００Ａ１の一端１１１は釣り竿１０の後端に向かう。
【００３０】
取付管１００Ａ１の一端１１１には円形の第１挿入口１２０が設けられている。釣り竿１０の先端部１３は第１挿入口１２０を通じて管体１１０Ａ１の内部に挿入される。取付管１００Ａ１と釣り竿１０の結合は、例えば接着剤を管体１１０Ａ１の内周面と釣り竿の先端部１３の外周面との間に介在させ、先端部１３を取付管１００Ａ１の一端１１１から他端１１２側に挿入して行われる。
【００３１】
取付管１００Ａ１は他端１１２に四角形の第２挿入口１３０Ａを備える。トップガイド２０Ａ１のフレーム２００Ａは取付管１００Ａ１にフレーム２００Ａの一部（フレーム２００Ａの挿入脚）を第２挿入口１３０Ａを通じて管体１１０Ａ１内側に挿入させて取付管１００Ａ１に取り付けられる。第２挿入口１３０Ａは取付管１００Ａ１を正面から見るとき、正方形または長方形の四角形を有することができる。一実施の形態において、第２挿入口１３０Ａは角が丸い四角形形状を有する。他の実施の形態における第２挿入口１３０Ａの四角形の角の丸い程度は図６に示すものとは異なってもよく、第２挿入口の四角形形状は両辺が直角の四角形も含む。
【００３２】
この実施の形態において、第２挿入口１３０Ａは長方形を有する。詳細には、図６に示すように、取付管１００Ａ１を他端１１２から見るとき（取付管１００Ａ１を正面から見るとき）、第２挿入口１３０Ａは長方形を有する。第２挿入口１３０Ａはその長方形をなす平面が中心軸ＣＡに垂直に位置するように他端１１２に形成される。また、第２挿入口１３０Ａはその長方形の短辺が中心軸ＣＡに垂直に位置するように他端１１２に形成される。第２挿入口１３０Ａは長方形の中心ＣＱと、上側の長辺１３１ＵＬＳと、下側の長辺１３１ＬＬＳと、左側の短辺１３１ＬＳＳと右側の短辺１３１ＲＳＳを有する。他端１１２に第２挿入口１３０Ａが中心軸ＣＡに垂直に位置しているので、他端１１２は第２挿入口１３０Ａの各辺を限定する辺部を有する。即ち、他端１１２は上側長辺部１１２ＵＬＳと、下側長辺部１１２ＬＬＳと、左側短辺部１１２ＬＳＳと、右側短辺部１１２ＲＳＳとを有する。上側長辺部１１２ＵＬＳ、下側長辺部１１２ＬＬＳ、左側短辺部１１２ＬＳＳ及び右側短辺部１１２ＲＳＳの内側縁が第２挿入口１３０Ａの長辺と短辺をそれぞれ限定する。取付管１００Ａ１を正面から見るとき、長辺部１１２ＵＬＳ，１１２ＬＬＳと短辺部１１２ＬＳＳ，１１２ＲＳＳの幅は管体１１０Ａ１の厚さと略同一であるか管体１１０Ａ１の厚さより若干小さい。
【００３３】
図５及び図６に示すように、第２挿入口１３０Ａの長方形の中心ＣＱは中心軸ＣＡから離隔している。詳細には、第２挿入口１３０Ａの長方形の中心ＣＱは中心軸ＣＡから上方に離隔している。即ち、第２挿入口１３０Ａの長方形の中心ＣＱを通り中心軸ＣＡに平行な直線Ｌ２は中心軸ＣＡと中心軸ＣＡに平行な直線Ｌ１との間に位置する。上記直線Ｌ１は第２挿入口１３０Ａの長方形の中心ＣＱが中心軸ＣＡから離隔する方向における取付管１００Ａ１の外面（管体１１０Ａ１の外面）に位置し、取付管１００Ａ１を側面から見るとき上側縁を通る。また、他端１１２の上側長辺部１１２ＵＬＳの外側縁は直線Ｌ１より下側にまたは直線Ｌ１に位置することができる。この実施の形態において、図５及び図６に示すように、他端１１２の上側長辺部１１２ＵＬＳの内側縁は、第２挿入口１３０Ａの上側長辺１３１ＵＬＳ（第２挿入口１３０Ａの２つの長辺のうちの中心軸ＣＡから遠く位置する長辺）からなり、外側縁は直線Ｌ１に位置する。従って、取付管１００Ａ１を側面から見るとき、第２挿入口１３０Ａの中心ＣＱが中心軸ＣＡから離隔している方向における取付管１００Ａ１の上側縁１１３Ｕは略直線をなす。
【００３４】
また、この実施の形態において、図５及び図６に示すように、第２挿入口１３０Ａの下側長辺１３１ＬＬＳ（第２挿入口１３０Ａの２つの長辺のうちの中心軸ＣＡに近い長辺）は中心軸ＣＡより上方に位置する。図４に示すように、取付管１００Ａ１を平面から見るとき、管体１１０Ａ１の幅は他端１１２へ行くほど広くなる。従って、図６に示すように、第２挿入口１３０Ａの左側短辺１３１ＬＳＳと右側短辺１３１ＲＳＳは取付管１００Ａ１の円筒部分の外面の外側に位置する。即ち、取付管１００Ａ１を正面から見るとき、左側短辺１３１ＬＳＳと右側短辺１３１ＲＳＳとの間の距離として定義される第２挿入口１３０Ａの幅Ｗ１は管体１１０Ａ１の内径及び外径（取付管１００Ａ１の内径及び外径）より大きい。
【００３５】
取付管１００Ａ１は他端１１２に第２挿入口１３０Ａと接する斜面１４０を備える。斜面１４０は取付管１００Ａ１の他端１１２付近における一部が中心軸ＣＡ側に傾き形成される斜面部１４１の外面である。取付管１００Ａ１を側面から見るとき、斜面１４０は取付管１００Ａ１の中心軸ＣＡに対して鋭角Ａ１に傾いている。一実施の形態において、斜面１４０の上記鋭角Ａ１は２５゜以上４５゜以下である。斜面１４０は、管体１１０Ａ１をその中心軸ＣＡに対して上記鋭角Ａ１に断面を取るときに現れる管体の仮想の切断面の形状において第２挿入口１３０Ａの長方形を除いた形状を有する。従って、斜面１４０は直線縁１４２と、直線縁１４２と対向する曲線縁１４３を有する。斜面１４０の直線縁１４２は、第２挿入口１３０Ａの下側長辺１３１ＬＬＳ（第２挿入口の２つの長辺のうちの中心軸ＣＡに近い長辺）を内側縁として有する他端１１２の下側長辺部１１２ＬＬＳの外側縁と接する。斜面１４０の曲線縁１４３は取付管１００Ａ１の円筒部分の外周面と接し、取付管１００Ａ１を側面から見るとき下側縁１１３Ｌに位置する頂点ＡＰを有する。
【００３６】
図５において、符号ＰＬで指示されている長さは取付管１００Ａ１に挿入される釣竿の先端部１３の最大挿入深さを表す。取付管１００Ａ１と釣り竿の先端部１３との適切な取付強度を確保するために、一実施の形態において、上記長さＰＬは取付管１００Ａ１の全長（一端１１１から他端１１２までの長さ）ＯＬの６０％以上９５％以下となる。
【００３７】
図７Ａ〜図１２Ｂは取付管の様々な例を示す。
図７Ａ及び図７Ｂに示す取付管１００Ａ２は取付管１００Ａ１の第２挿入口１３０Ａと同一の第２挿入口１３０Ａを有するが、取付管１００Ａ１の管体１１０Ａ１の外径より小さい外径を有する管体１１０Ａ２を備える。図８Ａ及び図８Ｂに示す取付管１００Ａ３は取付管１００Ａ１の第２挿入口１３０Ａと同一の第２挿入口１３０Ａを有するが、取付管１００Ａ１の管体１１０Ａ１の外径より大きい外径を有する管体１１０Ａ３を備える。図８Ｂに示すように、取付管１００Ａ３の他端部は他端１１２へ行くほど狭くなる。
【００３８】
図９Ａ及び図９Ｂに示す取付管１００Ｂ１は取付管１００Ａ１の管体と同一の外径を有する管体１１０Ｂ１を有するが、取付管１００Ａ１の第２挿入口１３０Ａの幅Ｗ１より小さい幅Ｗ２を有する第２挿入口１３０Ｂを備える。図１０Ａ及び図１０Ｂに示す取付管１００Ｂ２は取付管１００Ｂ１の第２挿入口１３０Ｂと同一の第２挿入口１３０Ｂを有するが、取付管１００Ｂ１の管体１１０Ｂ１の外径より小さい外径を有する管体１１０Ｂ２を備える。図１１Ａ及び図１１Ｂに示す取付管１００Ｂ３の管体１１０Ｂ３は取付管１００Ｂ１の管体の外径より大きい外径を有するが、取付管１００Ｂ３は取付管１００Ｂ１の第２挿入口１３０Ｂと同一の第２挿入口１３０Ｂを有する。図１１Ｂに示すように、取付管１００Ｂ３の他端部は他端１１２へ行くほど狭くなる。
【００３９】
図７Ａ〜図１１Ｂに示す取付管において、第２挿入口の長方形の中心ＣＱは取付管の中心軸ＣＡから上方に離隔している。図７Ａ，図７Ｂ，図１０Ａ及び図１０Ｂに示す取付管１００Ａ２，１００Ｂ２において、第２挿入口の下側長辺１３１ＬＬＳは中心軸ＣＡより下方に位置する。また、図８Ａ，図８Ｂ，図１１Ａ及び図１１Ｂに示す取付管１００Ａ３，１００Ｂ３において、第２挿入口の下側長辺１３１ＬＬＳは中心軸ＣＡより上方に位置する。また、図８Ａ，図８Ｂ，図１１Ａ及び図１１Ｂに示す取付管１００Ａ３，１００Ｂ３において、第２挿入口１３０Ａ，１３０Ｂの両短辺１３１ＬＳＳ，１３１ＲＳＳの間の距離は管体１１０Ａ３，１１０Ｂ３の内径（取付管の内径）より小さい。従って、図８Ａ，図８Ｂ，図１１Ａ及び図１１Ｂに示す取付管１００Ａ３，１００Ｂ３を正面から見るとき、第２挿入口の左側短辺１３１ＬＳＳと右側短辺１３１ＲＳＳは取付管１００Ａ３，１００Ｂ３の円筒部分の外面より内側に位置する。
【００４０】
図１２Ａ及び図１２Ｂに示す取付管１００Ｃは取付管１００Ａ１の第２挿入口１３０Ａの幅とは異なる大きさの幅を有する第２挿入口１３０Ｃを備え、第２挿入口１３０Ｃの上側長辺１３１ＵＬＳに接し中心軸ＣＡを中心として斜面１４０に対して反対方向に傾くもう１つの斜面１５０を備える。取付管１００Ｃの第２挿入口１３０Ｃの長方形の中心ＣＱは中心軸ＣＡから上方に離隔しており、第２挿入口１３０Ｃの下側長辺１３１ＬＬＳは中心軸ＣＡの上方に位置する。
【００４１】
図２〜図５、図１３及び図１４を参照して、トップガイドのフレームの一例を説明する。
【００４２】
トップガイドのフレーム２００Ａはガイドリング３００を保持し、取付管１００Ａ１〜１００Ｃに結合してガイドリング３００を支持する。この実施の形態において、ガイドリング３００は円形であり、その中に釣り糸が通過する円形の開口を有する。ガイドリング３００はその内周面で釣り糸と接触し、セラミックのような硬質の材料からなる。
【００４３】
フレーム２００Ａはガイドリング３００を保持するリング保持部２１０と、リング保持部２１０から延び取付管１００Ａ１〜１００Ｃの第２挿入口１３０Ａ，１３０Ｂ，１３０Ｃに嵌められる挿入脚２２０Ａと、リング保持部２２０から延び取付管１００Ａ１〜１００Ｃの外面に接触する支脚２３０を備える。
【００４４】
リング保持部２１０はガイドリング３００をその外周面全体にわたって保持するように円形の開口が形成されたリング状を有する。ガイドリング３００はその外周面でリング保持部２１０の内周面に嵌合される。
【００４５】
挿入脚２２０Ａはリング保持部２１０の下端から略直線に延び、リング保持部２１０からガイドリング３００の平面ＲＰに対して鋭角に傾いている。挿入脚２００の上記鋭角は取付管１００Ａ１〜１００Ｃの斜面１４０の鋭角Ａ１と同一であってもよい。挿入脚２２０Ａはその末端に取付管１００Ａ１〜１００Ｃの第２挿入口１３０Ａ，１３０Ｂ，１３０Ｃに嵌められる挿入部２２１Ａを有する。この実施の形態において、図１４に示すように、挿入部２２１Ａは挿入脚２２０Ａの側方縁に形成された一対のショルダー部２２２により限定される。挿入部２２１Ａはショルダー部２２２から挿入脚２２０Ａの末端までの距離に該当する挿入長さＩＬ１と、両ショルダー部２２２の間の距離に該当する挿入幅ＩＷ１を有する。一実施の形態において、挿入部２２１Ａの挿入幅ＩＷ１は第２挿入口１３０Ａの幅Ｗ１と同一である。また、各ショルダー部２２２の幅は他端１１２の短辺部１１２ＬＳＳ，１１２ＬＳＳの厚さと同一であるか、短辺部１１２ＬＳＳ，１１２ＬＳＳの厚さより小さくてもよい。
【００４６】
支脚２３０はリング保持部２１０の側方で釣り竿１００の後端側に延びる。この実施の形態において、支脚２３０は取付管の中心軸ＣＡに対して対称な左支脚２３０Ｌと右支脚２３０Ｒからなる。トップガイド２０Ａ１を側面から見るとき、左支脚２３０Ｌと右支脚２３０Ｒは下方に凸に湾曲している。左支脚２３０Ｌと右支脚２３０Ｒはそれらの末端で一体になって支脚２３０の末端部２３１を形成する。支脚２３０の末端部２３１は第２挿入口の長方形の中心ＣＱが取付管の中心軸ＣＡから離隔している方向において取付管１００Ａ１〜１００Ｃの外面に接触する。
【００４７】
図１５はもう１つの例によるフレームを示す。図１５に示すフレーム２００Ｂの挿入脚２２０Ｂはその末端に、フレーム２００Ｂを平面から見るとき略放物線状である挿入部２２１Ｂを備える。挿入脚２２０Ｂの挿入部２２１Ｂが第２挿入口１３０Ａ，１３０Ｂ，１３０Ｃ内に嵌められる。挿入部２２１Ｂは挿入長さＩＬ２と、挿入幅ＩＷ２とを有する。一実施の形態において、挿入部２２１Ｂの挿入幅ＩＷ２は第２挿入口１３０Ｂの幅Ｗ２と同一である。
【００４８】
図１６〜図１８はフレームの多様な例を示す。図１６に示すフレーム２００Ｃは支脚２３０を構成する左支脚２３０Ｌと右支脚２３０Ｌ，２３０Ｒがトップガイドを側面から見るとき上方へ凸に湾曲している。図１７に示すフレーム２００Ｄは挿入脚２２０Ｄに開口２２３を備える。図１８に示すフレーム２００Ｅは前述した支脚２３０を備えない。
【００４９】
フレームの挿入脚２２０Ａ，２２０Ｂ，２２０Ｄの挿入部２２１Ａ，２２１Ｂを第２挿入口１３０Ａ，１３０Ｂ，１３０Ｃに挿入して支脚２３０の末端部２３１を取付管の外面に接触させることによって、フレーム２００Ａ〜２００Ｄが取付管１００Ａ１〜１００Ｃに取り付けられる。取付管とフレームの固着のために、例えばロー付け（ｂｒａｚｉｎｇ）またはハンダ付け（ｓｏｌｄｅｒｉｎｇ）によって支脚２３０の末端部２３１と取付管の外面が接合される。
【００５０】
図１９〜図２２を参照して、前述した取付管と前述したフレームを備えるトップガイドにおいて、フレームが様々な取付管に対して同一の位置に維持される例を説明する。
【００５１】
図１９は前述したフレームのうちのフレーム２００Ａと前述した取付管のうちの取付管１００Ａ１を備えるトップガイド２０Ａ１の平面図であり、図２０はフレーム２００Ａが取付管１００Ａ１，１００Ａ２，１００Ａ３のそれぞれに取り付けられているのを並べて示している。図２０に示すように、取付管１００Ａ１，１００Ａ２，１００Ａ３はそれぞれ異なる外径を有する。しかし、取付管１００Ａ１，１００Ａ２，１００Ａ３の上側縁１１３Ｕを通り中心軸ＣＡに平行な直線Ｌ１と、第２挿入口１３０Ａの長方形の中心ＣＱを通り中心軸ＣＡに平行な直線Ｌ２との間の距離Ｄ１は各トップガイド２０Ａ１，２０Ａ２，２０Ａ３において同一である。
【００５２】
フレーム２００Ａの挿入幅ＩＷ１は第１挿入口１３０Ａの幅Ｗ１と同一であり、各取付管１００Ａ１，１００Ａ２，１００Ａ３に対し同一の挿入長さＩＬ１で挿入部２２１Ａが第２挿入口１３０Ａに挿入される。また、中心軸ＣＡに平行な直線Ｌ１と、ガイドリング３００の中心を通り中心軸ＣＡに平行な直線Ｌ３との間の距離Ｄ２も各トップガイド２０Ａ１，２０Ａ２，２０Ａ３において同一である。また、ガイドリング３００の平面ＲＰが取付管１００Ａ１，１００Ａ２，１００Ａ３の中心軸ＣＡとなす角度Ａ２も各トップガイド２０Ａ１，２０Ａ２，２０Ａ３において同一である。また、挿入部２２１Ａの先端と支脚２３０の末端部２３１の後端との間の距離Ｄ３も各トップガイド２０Ａ１，２０Ａ２，２０Ａ３において同一である。このように、実施の形態によるトップガイド２０Ａ１，２０Ａ２，２０Ａ３では、外径がそれぞれ異なる取付管１００Ａ１，１００Ａ２，１００Ａ３に対しフレーム２００Ａが同一の位置に維持される。
【００５３】
図２１は前述したフレームのうちのフレーム２００Ｂと前述した取付管のうちの取付管１００Ｂ１を備えるトップガイド２０Ｂ１の平面図であり、図２２はフレーム２００Ｂが取付管１００Ｂ１，１００Ｂ２，１００Ｂ３のそれぞれに取り付けられているのを並べて示している。図２２に示すように、取付管１００Ｂ１，１００Ｂ２，１００Ｂ３の外径がそれぞれ異なるが、取付管１００Ｂ１，１００Ｂ２，１００Ｂ３の上側縁１１３Ｕを通る直線Ｌ１と第２挿入口１３０Ｂの中心を通る直線Ｌ２との間の距離Ｄ１は各トップガイド２０Ｂ１，２０Ｂ２，２０Ｂ３において同一である。フレーム２００Ｂの挿入部２２１Ｂの挿入幅ＩＷ２は第２挿入口１３０Ｂの幅Ｗ２と同一であり、各取付管１００Ｂ１，１００Ｂ２，１００Ｂ３に対し同一の挿入長さＩＬ２で挿入部２２１Ｂが挿入される。また、直線Ｌ１から直線Ｌ３までの距離Ｄ２及びガイドリング３００の平面ＲＰの角度Ａ２も各トップガイド２０Ｂ１，２０Ｂ２，２０Ｂ３において同一である。また、挿入部２２１Ｂの先端と支脚２３０の末端部２３１の後端との間の距離Ｄ３も各トップガイド２０Ｂ１，２０Ｂ２，２０Ｂ３において同一である。このように、実施の形態によるトップガイド２０Ｂ１，２０Ｂ２，２０Ｂ３では、外径がそれぞれ異なる取付管１００Ｂ１，１００Ｂ２，１００Ｂ３に対しフレーム２００Ｂが同一の位置に維持される。
【００５４】
実施の形態によるトップガイド２０Ａ１〜２０Ｂ３において、フレーム２００Ａの挿入部２２１Ａは同一の挿入幅ＩＷ１及び挿入長さＩＬ１として取付管１００Ａ１〜１００Ａ３に挿入され、フレーム２００Ｂの挿入部２２１Ｂは同一の挿入幅ＩＷ２及び挿入長さＩＬ２として取付管１００Ｂ１〜１００Ｂ３に挿入される。また、第２挿入口１３０Ａ，１３０Ｂ，１３０Ｃの長方形状の中心が取付管１００Ａ１〜１００Ｃの中心軸ＣＡより上方にあり、第２挿入口１３０Ａの上側長辺を限定する他端１１２の上側長辺部１１２ＵＬＳの外側縁は取付管の外面（取付管を側面から見るとき取付管の上側縁１１３Ｕ）に位置する直線Ｌ１に位置するので、フレーム２００Ａ，２００Ｂは各取付管１００Ａ１〜１００Ｃに対し同一位置に維持される。  また、フレーム２００Ａ，２００Ｂが各取付管に同一位置に維持されながら、挿入部２２１Ａ，２２１Ｂの先端と支脚２３０の末端部２３１の後端との間の距離Ｄ３も各トップガイドにおいて同一である。従って、図１３〜図１５に示すように、フレーム２００Ａ，２００Ｂの挿入部２２１Ａ，２２１Ｂは比較的短い長さを有するように設計されることができ、これに合せてフレーム２００Ａ，２００Ｂの支脚２３０も短く設計されることができる。これによって、実施の形態によるトップガイド２０Ａ１〜２０Ｂ３は軽量化できる。
【００５５】
実施の形態によるトップガイド２０Ａ１〜２０Ｂ３において、取付管１００Ａ１〜１００Ｂ３の斜面１４０は中心軸ＣＡに対して鋭角Ａ１（例えば、２５゜〜４５゜）に傾いている。また、フレーム２００Ａ，２００Ｂの挿入脚２２０Ａ，２２０Ｂはリング保持部２１０から直線に延び、ガイドリングの平面ＲＰに対して斜面１４０の鋭角Ａ１と同一の角度で傾いている。一実施の形態において、フレーム２００Ａ，２００Ｂの挿入脚２２０Ａ，２２０Ｂはリング保持部２１０から取付管の斜面１４０の鋭角Ａ１と同一の角度で延び、トップガイド２０Ａ１〜２０Ｂ３を側面から見るとき、挿入脚２２０Ａ，２２０Ｂの下側縁と斜面１４０が一直線をなす。従って、図２０及び図２２に示すように、実施の形態によるトップガイド２０Ａ１〜２０Ｂ３において、斜面１４０と挿入脚２２０Ａ，２２０Ｂの下面が中心軸ＣＡに対してなす角度が大きくなりこれらの間の段差が小さくなる。従って、釣り糸は取付管の斜面１４０とフレームの挿入脚２２０Ａ，２２０Ｂの境界に引っ掛かったり絡まらない。
【００５６】
前述した実施の形態は、取付管１３０Ａ１〜１００Ｃを正面から見るとき横に長い長方形の第２挿入口１３０Ａ，１３０Ｂを有する取付管１３０Ａ１〜１００Ｃを含む。他の実施の形態として、図２３Ａに示すように、長方形の第２挿入口１３０Ｄは、取付管１００Ｄを正面から見るとき、縦に長い形状として取付管１００Ｄの他端に設けられてもよい。さらに他の実施の形態として、図２３Ｂに示すように、正方形の第２挿入口１３０Ｅが取付管の他端１１２に設けられてもよい。このような他の実施の形態において、第２挿入口１３０Ｄの長方形または第２挿入口１３０Ｅの正方形の中心は取付管の中心軸ＣＡから上方に離隔しており、取付管を側面から見るとき第２挿入口の中心が離隔している方向における取付管の縁は直線になる。
【００５７】
以上で説明した本発明は前述した実施の形態及び添付の図面により限定されるわけではない。本発明の技術的思想を逸脱しない範囲内で様々な置換、変形及び変更が可能であるということが本発明の属する技術分野で通常の知識を有する者において明白である。
【符号の説明】
【００５８】
１０  釣り竿、１１  竿体、１２  リールシート、１３  釣り竿の先端部、２０Ａ１，２０Ａ２，２０Ａ３，２０Ｂ１，２０Ｂ２，２０Ｂ３  トップガイド、１００Ａ１，１００Ａ２，１００Ａ３，１００Ｂ１，１００Ｂ２，１００Ｂ３，１００Ｃ，１００Ｄ，１００Ｅ  取付管、１１０Ａ１，１１０Ａ２，１１０Ａ３，１１０Ｂ１，１１０Ｂ２，１１０Ｂ３  管体、１１１  取付管の一端、１１２  取付管の他端、１１２ＵＬＳ，１１２ＬＬＳ  他端の長辺部、１１２ＬＳＳ，１１２ＲＳＳ  他端の短辺部、１１３Ｕ  取付管を側面から見るときの上側縁、１１３Ｌ  取付管を側面から見るときの下側縁、１２０  第１挿入口、１３０Ａ，１３０Ｂ，１３０Ｃ，１３０Ｄ，１３０Ｅ  第２挿入口、１３１ＵＬＳ，１３１ＬＬＳ  第２挿入口の長辺、１３１ＬＳＳ，１３１ＲＳＳ  第２挿入口の短辺、１４０  斜面、１４１  斜面部、１４２  斜面の直線縁、１４３  斜面の曲線縁、１５０  斜面、２００Ａ，２００Ｂ，２００Ｃ，２００Ｄ，２００Ｅ  フレーム、２１０  リング保持部、２２０Ａ，２２０Ｂ，２２０Ｄ  挿入脚、２２１Ａ，２２１Ｂ  挿入部、２２２  ショルダー部、２２３  開口、２３０  支脚、２３０Ｌ  左支脚、２３０Ｒ  右支脚、２３１  末端部、３００  ガイドリング、ＣＡ  取付管の中心軸、ＣＱ  第２挿入口の四角形の中心、Ｌ１  取付管の外面に位置し中心軸に平行な直線、Ｌ２  第２挿入口の四角形の中心を通り中心軸に平行な直線、Ｌ３  ガイドリングの中心を通り中心軸に平行な直線、ＯＬ  取付管の全長、ＰＬ  斜面の縁の頂点と一端との間の長さ、Ｗ１，Ｗ２  第２挿入口の幅、Ｄ１  Ｌ１とＬ２との間の距離、Ｄ２  Ｌ１とＬ３との間の距離、Ｄ３  挿入部の先端と末端部の後端との間の距離、ＩＷ１，ＩＷ２  挿入部の挿入幅、ＩＬ１，ＩＬ２  挿入部の挿入長さ、Ａ１  斜面の中心軸に対する角度、Ａ２  ガイドリングの平面の中心軸に対する角度、ＡＰ  斜面の曲線縁の頂点、ＲＰ  ガイドリングの平面。
【要約】
本発明はトップガイド用取付管を提供する。このトップガイド用取付管（２０Ａ１）は、長手方向に延びる中心軸（ＣＡ）と、長手方向における一端に設けられた第１挿入口（１２０）と、長手方向における他端に設けられた長方形の第２挿入口（１３０）と、他端に設けられた斜面（１４０）を有する。釣り竿の先端部は第１挿入口（１２０）に挿入される。ガイドリングを支持するフレームの挿入脚は第２挿入口（１３０）に挿入される。第２挿入口（１３０）の長方形の中心は中心軸（ＣＡ）から上方に離隔している。斜面（１４０）は第２挿入口（１３０）に接して中心軸（ＣＡ）に対して鋭角に傾いている。【図１】
0005834168.tif 000002
【図２】
0005834168.tif 000003
【図３】
0005834168.tif 000004
【図４】
0005834168.tif 000005
【図５】
0005834168.tif 000006
【図６】
0005834168.tif 000007
【図７Ａ】
0005834168.tif 000008
【図７Ｂ】
0005834168.tif 000009
【図８Ａ】
0005834168.tif 000010
【図８Ｂ】
0005834168.tif 000011
【図９Ａ】
0005834168.tif 000012
【図９Ｂ】
0005834168.tif 000013
【図１０Ａ】
0005834168.tif 000014
【図１０Ｂ】
0005834168.tif 000015
【図１１Ａ】
0005834168.tif 000016
【図１１Ｂ】
0005834168.tif 000017
【図１２Ａ】
0005834168.tif 000018
【図１２Ｂ】
0005834168.tif 000019
【図１３】
0005834168.tif 000020
【図１４】
0005834168.tif 000021
【図１５】
0005834168.tif 000022
【図１６】
0005834168.tif 000023
【図１７】
0005834168.tif 000024
【図１８】
0005834168.tif 000025
【図１９】
0005834168.tif 000026
【図２０】
0005834168.tif 000027
【図２１】
0005834168.tif 000028
【図２２】
0005834168.tif 000029
【図２３Ａ】
0005834168.tif 000030
【図２３Ｂ】
0005834168.tif 000031
【図２４】
0005834168.tif 000032
【図２５】
0005834168.tif 000033